(57)【要約】【課題】光ピックアップアクチュエータ１０において、端子板１１２や絡げ構造を使わずに、可動部１２へフォーカシングコイル１５及びトラッキングコイル２０を固定し、フォーカシングコイル１５及びトラッキングコイル２０へスプリングワイヤ２５を接続できるようにする。【解決手段】フォーカシングコイル１５の端子部１７及びトラッキングコイル２０の端子部２２に円板部を形成する。該円板部は、線材を１平面内で渦巻き状に周回させて形成したものであり、面方向の隣接線材部分同士はほぼ密着状態にされている。円板部は内面側において可動部１２に接着される。スプリングワイヤ２５は、基端部において固定部１１に固定され、先端部において半田付けにより円板部の外面側に接続される。【選択図】図４
2009252336.tif 000002
【特許請求の範囲】
【請求項１】
線材より構成されるコイル部と、該コイル部から引き出された電気接続部とを備えるコイルを用いた電気装置であって、
前記電気接続部は、前記コイルから延出した線材が１つの面に沿って複数回、周回して形成された面部を有し、
前記面部を装着する面部組み付け部材を有することを特徴とする、コイルを用いた電気装置。
【請求項２】
前記面部は、その中心穴を残して、前記線材が１つの平面上を渦巻き状に延びたものから成り、
前記面部の内周の直径は、前記線材の径以上でかつ前記面部の外周の直径の１／２以下であることを特徴とする請求項１記載の、コイルを用いた電気装置。
【請求項３】
前記線材は前記面部において面方向へほぼ密着状態になっていることを特徴とする請求項１又は２記載の、コイルを用いた電気装置。
【請求項４】
前記面部には、面方向へ隣接する線材部分同士を半田付けで結合した半田付け仕上げ部が付加されていることを特徴とする請求項１〜３のいずれかに記載の、コイルを用いた電気装置。
【請求項５】
請求項１〜４のいずれかに記載のコイルを用いた電気装置である光ピックアップアクチュエータであって、
前記コイルであるトラッキングコイル及びフォーカシングコイルと、
前記面部組付け部材である対物レンズ保持部材と、
固定部材と、
基端部が前記固定部材に固定され先端部が前記対物レンズ保持部材における前記トラッキングコイル及び前記フォーカシングコイルの電気接続部の面部に半田付けにより接続されるスプリングワイヤと、
を備えることを特徴とする光ピックアップアクチュエータ。
【請求項６】
）
前記対物レンズ保持部材は、前記面部の周部との当接により該面部の面方向移動を制限する位置決め部を有することを特徴とする請求項５記載の光ピックアップアクチュエータ。
【請求項７】
前記位置決め部は、前記スプリングワイヤの先端部が間に挿通されて該先端部のフォーカシング方向移動を制限するスプリングワイヤ用位置決め部分を有することを特徴とする請求項５記載の光ピックアップアクチュエータ。
【請求項８】
請求項１〜５のいずれかに記載のコイルを用いた電気装置へのコイル組付け方法であって、
複数のコイルの前記コイル部及び両端の前記電気接続部に対応して巻付け治具を配列し、１本の線材を各巻付け治具に巻き付けて、前記複数のコイルをコイル間の線材部分による連結状態で製作し、
複数のコイルをコイル間の線材部分による連結状態のままコイル組付け部材の各部位に組付け、
組付け後にコイル間の線材部分を切り落とすことを特徴とする、コイルを用いた電気装置へのコイル組付け方法。
【請求項９】
前記コイルは、トラッキングコイル及びフォーカシングコイルであり、
前記組付け部材は光ピックアップアクチュエータの対物レンズ保持部材であることを特徴とする請求項８記載の、コイルを用いた電気装置へのコイル組付け方法。
【発明の詳細な説明】
【技術分野】
【０００１】
本発明は、例えば光ディスクプレーヤ等に装備される、コイルを用いた電気装置、光ピックアップアクチュエータ及びコイル組付け方法に関する。
【背景技術】
【０００２】
特許文献１は、トラッキングコイル及びフォーカシングコイルを備える光ピックアップアクチュエータを開示する（特許文献１の図２）。該光ピックアップアクチュエータによれば、対物レンズを保持するコイル付き可動部は、側方へ突出する端子ピンを備え、トラッキングコイル及びフォーカシングコイルの各コイルの端子部は、該端子ピンに絡げるとともに、スプリングワイヤは、その基端部において固定部に固定され、先端部において絡げられているコイル端子部に半田付けされている（特許文献１の段落００１８）。
【０００３】
図１１は端子板１１２を使ってスプリングワイヤ２５−コイル間の接続を行う従来の光ピックアップアクチュエータ１００の構造を示している。光ディスクに対峙する光ピックアップアクチュエータ１００の面を光ピックアップアクチュエータ１００の正面とすることにして、図１１（ａ）及び（ｂ）はそれぞれ光ピックアップアクチュエータ１００の正面図及び側面図である。光ピックアップアクチュエータ１００において後述の本発明の実施例の光ピックアップアクチュエータ１０の部位と同一の部位については、光ピックアップアクチュエータ１０の部位と同一の符号で指示して、説明は省略し、主要点について述べる。
【０００４】
説明の便宜上、対物レンズ１３のフォーカシング方向を上下方向、トラッキング方向を左右方向、及びそれら両方向に対して直角の方向を前後方向（図１１の左右方向に対応する。）と、それぞれ呼ぶことにする。また、前後方向において固定部１１側を後ろ、対物レンズ１３側を前とする。
【０００５】
フォーカシングコイル１０１及びトラッキングコイル１０７は可動部１２の嵌挿孔１４内及び可動部１２の後ろ側の端面にそれぞれ組付けられ、フォーカシングコイル１０１はコイル部１０２とその両端の端子部１０３とを備えている。トラッキングコイル１０７はコイル部１０８とその両端の端子部１０９とを備えている。２つの端子板１１２は、内面側において可動部１２の左右の側面にそれぞれ接着され、外面側に２つの銅箔１１３を上下に分離して有している。
【０００６】
フォーカシングコイル１０１の両端子部１０３は左右方向一方の端子板１１２の上下の銅箔１１３に半田付け１１４により固定される。トラッキングコイル１０７の両端子部１０９は左右方向他方の端子板１１２の上下の銅箔１１３に半田付け１１５により固定される。計４本の各スプリングワイヤ２５の前端部は各銅箔１１３に半田付け１１７により固定される。
【０００７】
図１２は特許文献１の光ピックアップアクチュエータのように絡げ端子によりスプリングワイヤ２５−コイル間の接続を行う従来の光ピックアップアクチュエータ１２０の構造を示している。図１２（ａ）及び（ｂ）はそれぞれ光ピックアップアクチュエータ１２０の上面図及び側面図である。光ピックアップアクチュエータ１２０において光ピックアップアクチュエータ１００の部位と同一の部位については、光ピックアップアクチュエータ１００の部位と同一の符号で指示して、説明は省略して、主要点について述べる。
【０００８】
可動部１２の左右の各側面には、それぞれ２つの円形突起１２１が上下に並んで突設されている。フォーカシングコイル１０１の両端子部１０３は左右方向一方の側の円形突起１２１に絡げられる。トラッキングコイル１０７の両端子部１０９は左右方向他方の側の円形突起１２１に絡げられる。各スプリングワイヤ２５の前端部は、円形突起１２１の箇所において半田付け１１４，１１５により端子部１０３，１０９にそれぞれ接続される。
【特許文献１】特開２０００−５７６０３号公報
【発明の開示】
【発明が解決しようとする課題】
【０００９】
図１１の光ピックアップアクチュエータ１００の問題点を列挙すると次のとおりである。
【００１０】
（ａ）可動部１２への端子板１１２の接着が必要となる。これは、部品点数や工数の増大に繋がる。また、端子板１１２には浮きや剥離の問題があり、この対策が必要になる。
【００１１】
（ｂ）銅箔１１３への端子部１０３，１０９の半田付けは、自動化が困難であるため、手作業となっており、作業に時間と手間がかかる。また、手作業の故に、作業不完全に因る接続不良等の問題も起こり易い。
【００１２】
（ｃ）端子板１１２により可動部１２の総重量が増大し、これに伴い、磁石の強力化が必要になり、該磁石が大型化する。また、それに伴って、消費電流が増大する。
【００１３】
特許文献１の光ピックアップアクチュエータ及び図１２の光ピックアップアクチュエータ１２０の問題点を列挙すると次のとおりである。
【００１４】
（ａ）両端子部１０３又は１０９の絡げ部の上下方向隙間は２ｍｍ以下と、大変狭いので、自動化が困難である。また、その作業に熟練を要するとともに、作業に時間と手間がかかる。また、絡げ構造では、浮きや線材の切断という問題が置き易い。
【００１５】
（ｂ）手作業による絡げ構造形成のため、巻付け力の不適正に因る絡げ構造の形状変化が生じ、可動部１２へのスプリングワイヤ２５の固定位置がずれ易い。
【００１６】
（ｃ）可動部１２及び円形突起１２１は通常、熱可塑性樹脂の一体成形品で作られているので、半田付け作業にもたつくと、円形突起１２１が変形してしまう。
【００１７】
本発明の目的は、種々の問題の素になっている端子板や絡げ構造を省略して、固定や接続を行うことができるコイルを用いた電気装置、光ピックアップアクチュエータ及びコイル組付け方法を提供することである。
【課題を解決するための手段】
【００１８】
本発明によれば、コイルの電気接続部に面部を形成する。該面部は、コイルである線材を１つの面（平面又は曲面）に沿って複数回、周回させて形成したものから成る。該面部は、面部組付け部材への接着等や、スプリングワイヤ等の溶接等に使用する。
【００１９】
本発明の電気装置はコイルを用い、該コイルは、線材より構成されるコイル部と、該コイル部から引き出された電気接続部とを備える。電気接続部は、前記コイルから延出した線材が１つの面に沿って複数回、周回して形成された面部を有している。前記電気装置は、前記面部を装着する面部組み付け部材を有する。
【００２０】
前述のコイルを用いた電気装置としての本発明の光ピックアップアクチュエータは次のものを備えている。
前記コイルであるトラッキングコイル及びフォーカシングコイル、
前記面部組付け部材である対物レンズ保持部材、
固定部材、及び
基端部が前記固定部材に固定され先端部が前記対物レンズ保持部材における前記トラッキングコイル及び前記フォーカシングコイルの電気接続部の面部に半田付けにより接続されるスプリングワイヤ。
【００２１】
前述のコイルを用いた電気装置への本発明のコイル組付け方法は、前記コイルを製作、組み付けるものであり、次の工程を備える。
複数のコイルの前記コイル部及び両端の前記電気接続部に対応して巻付け治具を配列し、１本の線材を各巻付け治具に巻き付けて、前記複数のコイルをコイル間の線材部分による連結状態で製作する工程、
複数のコイルをコイル間の線材部分による連結状態のままコイル組付け部材の各部位に組付ける工程、及び
組付け後にコイル間の線材部分を切り落とす工程。
【発明の効果】
【００２２】
本発明によれば、コイルである線材を１つの面に沿って複数回、周回した面部をコイルの電気接続部とすることにより、端子板や絡げ構造を省略することができる。
【発明を実施するための最良の形態】
【００２３】
図１は光ピックアップアクチュエータ１０の構造を示している。光ディスクに対峙する光ピックアップアクチュエータ１０の面を光ピックアップアクチュエータ１０の正面とすることにして、図１（ａ）及び（ｂ）は光ピックアップアクチュエータ１０の上面図及び側面図である。説明の便宜上、対物レンズ１３のフォーカシング方向を上下方向、トラッキング方向を左右方向、及びそれら両方向に対して直角の方向を前後方向（図１の左右方向に対応する。）と、それぞれ呼ぶことにする。また、前後方向において固定部１１側を後ろ、対物レンズ１３側を前とする。
【００２４】
光ピックアップアクチュエータ１０は固定部１１及び可動部１２を有する。可動部１２は、対物レンズ１３を保持し、対物レンズ１３と一体で上下方向及び左右方向へ変位する。対物レンズ１３から照射されるレーザ光は、ＣＤやＤＶＤ等の光ディスク（図示せず）のトラック上に光スポットを生成する。
【００２５】
フォーカシングコイル１５は、コイル部１６と、その両端から引き出された端子部１７とを備えている。端子部１７は、フォーカシングコイル１５の電気接続部としてその絶縁被膜を剥離されている。コイル部１６は可動部１２の嵌挿孔１４内に嵌挿され、両端子部１７は可動部１２の左右方向一方の側面へ延び出る。
【００２６】
トラッキングコイル２０は、２つのコイル部２１と、各コイル部２１の相互に離れている方の端から引き出された端子部２２とを備えている。端子部２２は、トラッキングコイル２０の電気接続部としてその絶縁被膜を剥離されている。コイル部２１は可動部１２の固定部１１側の端面に当てられ、両端子部２２は可動部１２の左右方向他方の側面へ延び出る。
【００２７】
図１（ｂ）に図示されているように、トラッキングコイル２０を構成する線材は、端子部２２において、１平面に沿って渦巻き状に複数回、周回して、円板部が形成されている。線材の端は、円板部の中心側に存在し、線材は、円板部の周辺側からコイル部２１へ延びている。円板部において、その面方向へ隣接する線材部分同士は、ほぼ隙間無しの密着状態になっている。
【００２８】
端子部１７の構造は図示されていないが、図１（ｂ）における端子部２２と同一の構造である。
【００２９】
端子部１７，２２の円板部の内面側は接着剤により可動部１２の左右の各側面の上下に固定される。スプリングワイヤ２５は、左右に２本ずつ存在し、後端部において固定部１１に固定され、前端部において半田付けにより端子部１７，２２の円板部の外面側に接続される。
【００３０】
光ピックアップアクチュエータ１０では、端子板や絡げ構造を省略して、端子部１７，２２に固定することができるとともに、端子部１７，２２の所定広さの円板部にスプリングワイヤ２５に円滑に半田付けすることができる。これにより、端子板や絡げ構造に因る問題を排除しつつ、部品点数や作業工数の低減を図ることができる。
【００３１】
図２は端子部３０の円板部３１の寸法についての説明図である。説明の簡略化上、端子部３０はフォーカシングコイル１５の端子部１７及びトラッキングコイル２０の端子部２２の両方を指すものとして使用する。図２（ａ）及び（ｂ）はそれぞれ円板部３１の中心部の円形穴が最小寸法及び最大寸法の説明図である。端子部１７，２２について前述したように、円板部３１は、線材３２を１平面に沿って渦巻き状に複数回、周回して、形成したものである。フォーカシングコイル１５及びトラッキングコイル２０は、１本の線材３２から製作され、該線材３２の端は円板部３１の内周側に位置する。線材３２は円板部３１の外周側からコイル部の方へ延び出ている。
【００３２】
円板部３１の中心部には円形穴が形成され、図２においてＬ１は該円形穴の直径を示す。また、Ｌ２は円板部３１の直径を示す。Ｌ１は、線材３２の径≦Ｌ１≦Ｌ２／２に規定される。各寸法を例示すると、線材３２の径は０．１ｍｍ、Ｌ２は２ｍｍである。したがって、Ｌ１は、例えば０．１ｍｍ≦Ｌ１≦１ｍｍである。
【００３３】
Ｌ１が、線材３２の径未満であれば、線材３２が屈曲してしまい、円板部３１の中心部における面方向の線間密着性が悪化する。また、Ｌ１＞Ｌ２／２とすると、中心部の円形穴が大き過ぎて、可動部１２の側面への円板部３１の接着や円板部３１へのスプリングワイヤ２５の半田付けに支障が生じる。
【００３４】
図３は半田付け仕上げ部３５を付加した端子部３０の構造を示す。図３（ａ）は該構造の断面図、図３（ｂ）は該構造を可動部１２の側方から見た図である。半田付け仕上げ部３５が円形状に線材３２の全面に渡って広がり、円板部３１の面方向への線材３２の部位間の離間を阻止している。これにより、円板部３１における線材３２の部位間の形状のくずれが防止され、フォーカシングコイル１５及びトラッキングコイル２０の部品管理を合理化することができる。
【００３５】
半田付け仕上げ部３５付きの端子部３０では、線材３２は、円板部３１の面方向へ密着状態にならず、多少の隙間があってもよい。また、半田付け仕上げ部３５により、スプリングワイヤ２５との半田付けの際に、円板部の形状がくずれることなく、半田付けを行うことができる。
【００３６】
図４は光ピックアップアクチュエータ１０に付加した端子部１７，２２の位置決め構造を示す。図４（ａ）は、位置決め構造付き光ピックアップアクチュエータ１０の上面図であり、図４（ｂ）及び（ｃ）は側面図である。
【００３７】
可動部１２の左右方向の各側面には、円形凹所３８及び溝部３９が端子部１７，２２の各円板部に対応して形成されている。円形凹所３８は、該円板部の輪郭に合わせた周輪郭に形成され、円板部は、円形凹所３８に嵌入することにより、位置決めされている。溝部３９は円板部からコイル部１６又はコイル部２１の方へ延び出る線材部分を嵌入される。端子部１７が嵌入する溝部３９（図４（ａ））は、円形凹所３８から可動部１２の上面又は下面へ至り、フォーカシングコイル１５の線材を円板部からコイル部１６へ導いている。これに対して、端子部２２が嵌入する溝部３９（図４（ｃ））は、円形凹所３８から可動部１２の後面へ至り、トラッキングコイル２０の線材を円板部からコイル部２１へ導いている。
【００３８】
作業者は、フォーカシングコイル１５及びトラッキングコイル２０を可動部１２へ組付ける作業では、端子部１７，２２の円板部を円形凹所３８に嵌入して、接着する。こうして、作業者は、各円板部のフォーカシングコイル１５及びトラッキングコイル２０の位置決めを能率的に行うことができる。
【００３９】
図５は光ピックアップアクチュエータ１０に付加した端子部１７，２２の別の位置決め構造を示す。図５（ａ）及び（ｂ）はそれぞれ位置決め付き光ピックアップアクチュエータ１０の上面図及び側面図である。光ピックアップアクチュエータ１０の平面図は省略しているが、端子部１７の位置決め構造は端子部２２の位置決め構造と同一である。
【００４０】
可動部１２の左右の各側面には、１つの帯状突起４３と計４つの円形突起４４とが形成されている。帯状突起４３は円形突起４４より前後方向へ前に位置し、前後方向の帯状突起４３−円形突起４４間の距離は端子部１７，２２の円板部の直径にほぼ等しくされ、各円板部は帯状突起４３と２つの対応円形突起４４との間に挟まれるように、嵌挿される。４つの円形突起４４は、上下方向へ一列に配置され、上側及び下側の２つの円形突起４４が対を形成し、スプリングワイヤ２５が対関係の円形突起４４の間を抜けて、前端部において対応の円板部に半田付けされている。
【００４１】
作業者は、フォーカシングコイル１５及びトラッキングコイル２０を可動部１２へ組付ける作業では、端子部１７，２２の円板部を帯状突起４３−円形突起４４間に嵌挿して、接着する。また、各スプリングワイヤ２５を、該スプリングワイヤ２５に対応する対における円形突起４４間に挿通する。こうして、作業者は、フォーカシングコイル１５、トラッキングコイル２０及びスプリングワイヤ２５の位置決めを能率的に行うことができる。
【００４２】
図６〜図８はフォーカシングコイル１５及びトラッキングコイル２０の製作及び組付け作業を順番に示している。図６はフォーカシングコイル１５及びトラッキングコイル２０の製作時の説明図である。図６において、左から順番に端子部２２の円板部、２個のコイル部２１、端子部２２の円板部、端子部１７の円板部、コイル部１６及び端子部１７の円板部の計７つの巻回部分がほぼ一列に配列されている。これら７つの巻回部分にそれぞれ対応させて、計７つの巻付け治具が用意される。
【００４３】
これら７つの巻付け治具に線材４７を同時に巻き付けて、７つの巻回部分を一緒に製作する。この製作終了時では、中央の端子部１７−端子部２２は線材４７の連絡部分４８により相互に接続されている。
【００４４】
図７は連絡部分４８により相互に連結されているフォーカシングコイル１５及びトラッキングコイル２０の組付け時の位置関係を示している。図８はフォーカシングコイル１５及びトラッキングコイル２０を連絡部分４８により連結したまま可動部１２へ組付けた時の状態を示している。図８（ａ）は光ピックアップアクチュエータ１０の可動部１２の上面図であり、図８（ｂ）及び（ｃ）はそれぞれ正面図及び側面図である。
【００４５】
作業者は、フォーカシングコイル１５及びトラッキングコイル２０を、それらが連絡部分４８により相互に連結されたまま、可動部１２に組付ける。連絡部分４８は、対物レンズ１３装着側の可動部１２の面を左右方向へ横断している。この組付け後、作業者は、連絡部分４８の両端を切断して、連絡部分４８を除去して、可動部１２の部分の組付けを終了する。その後、作業者は、スプリングワイヤ２５の前端部を端子部１７，２２の円板部に半田付けして、光ピックアップアクチュエータ１０を完成させる。
【００４６】
図９はスピーカに配備されるボイスコイル５５の組付け状態の斜視図である。筒体５３は、スピーカの振動板を図９の下端の周縁部に固定され、該振動板と一体に軸線方向へ変位する。ボイスコイル５５は、筒体５３の下部の周部に嵌装、固定されるコイル部５６と、該コイル部５６の両端から上方へ引き出される２つの端子部５７とを有している。端子部５７は長円形の面部を有し、該面部は、１面を形成するように、線材が渦巻き状にかつ面方向へほぼ密着状態に周回している。該面部は、内面側において筒体５３の周面に接着され、外面側においてオーディオ信号の配線の端部を半田付けされる。
【００４７】
図１０はトランス６０の斜視図である。トランス６０は、一次側及び二次側のコイルのコイル部６１と、各コイル部６１の両端から引き出された端子部６２とを備えている。端子部６２は、端子部１７，２２と同様に、１面に沿って渦巻き状に適当な回数、周回して形成した長円形状の面部を有している。
【００４８】
図１０では、該面部の下半部は、コイル部６１の外周部を覆う覆い部材の内側に隠れているとともに、外周部に接着されている。そして、上半部がコイル部６１から上方へ突出している。該面部は、従来のトランスにおける銅箔部に代替され、各端子部６２の面部には、一次側の電圧印加線及び二次側の電圧取出し線の端部が半田付けされる。
【００４９】
図１〜図１０の実施例と本発明との関係について説明する。
【００５０】
本発明の電気装置に用いるコイルは、線材より構成され、コイル部と該コイル部から引き出された電気接続部とを備える。そして、電気接続部は、線材が１つの面に沿って複数回、周回して形成された面部を有する。面部は電気装置の面部組み付け部材に装着される。
【００５１】
コイルは例えばフォーカシングコイル１５（図１）、トラッキングコイル２０（図１）、ボイスコイル５５（図９）及びトランス６０のコイル（図１０）である。面部の具体例は、図１、図４及び図５の円板部、図２及び図３の円板部３１、端子部５７の長円形部（図９）、及び端子部６２の面部（図１０）である。電気接続部はコイルの端部に限定されない。電気接続部は、タップ点のようなコイル部の中間部から引き出されたものであってもよい。線材が周回する１つの面は、面部が接着等される部位の面形状に合わせられ、平面に限定されず、湾曲面等の曲面であってもよい。
【００５２】
典型的には、面部は、その中心穴を残して、線材が１つの平面上を渦巻き状に延びたものから成り、面部の内周の直径は、線材の径以上でかつ面部の外周の直径の１／２以下である。この具体例は図２を参照して説明したとおりである。
【００５３】
面部の形状は、円形に限定されず、長円形や四角形であってもよいとする。面部の形状は、該面部が固着される部位や半田付け等により結合される接続部材に応じて最適なものを選択することができる。
【００５４】
典型的には、線材は面部において面方向へほぼ密着状態になっている。好ましくは、面部には、面方向へ隣接する線材部分同士を半田付けで結合した半田付け仕上げ部が付加されている。さらに、半田付け仕上げ部は面状に広がるように形成することができる。半田付け仕上げ部により、面部の線材は一面に沿って延びていれば足り、密着状態にしなくてもよくなる。
【００５５】
本発明のコイルを用いた電気装置の具体例は光ピックアップアクチュエータ１０（図１）、ボイスコイル５５を装備するスピーカ（図９）及びトランス６０（図１０）である。コイル組付け部材の具体例は可動部１２である。
【００５６】
本発明の光ピックアップアクチュエータは、コイルであるトラッキングコイル及びフォーカシングコイルと、コイル組付け部材である対物レンズ保持部材と、固定部材と、基端部が固定部材に固定され先端部が対物レンズ保持部材におけるトラッキングコイル及びフォーカシングコイルの電気接続部の面部に半田付けにより接続されるスプリングワイヤとを備える。
【００５７】
対物レンズ保持部材の具体例は可動部１２である。固定部材の具体例は固定部１１である。好ましくは、対物レンズ保持部材は、面部の周部との当接により該面部の面方向移動を制限する位置決め部を有する。位置決め部の具体例は、円形凹所４０（図４）並びに帯状突起４３及び円形突起４４（図５）である。
【００５８】
位置決め部は、スプリングワイヤの先端部が間に挿通されて該先端部のフォーカシング方向移動を制限するスプリングワイヤ用位置決め部分を有する。スプリングワイヤ用位置決め部分の具体例は図５の円形突起４４である。
【００５９】
本発明のコイル製作組付け方法では、最初に、（ａ）複数のコイルのコイル部及び両端の電気接続部に対応して巻付け治具を配列し、１本の線材を各巻付け治具に巻き付けて、複数のコイルをコイル間の線材部分による連結状態で製作する。次に、（ｂ）複数のコイルをコイル間の線材部分による連結状態のままコイル組付け部材の各部位に組付ける。最後に、（ｃ）組付け後にコイル間の線材部分を切り落とす。
【００６０】
（ａ）の工程の具体例は図６に示すものである。（ｂ）の工程の具体例は図７及び図８に示すものである。典型的なコイル製作組付け方法では、コイルはトラッキングコイル及びフォーカシングコイルであり、組付け部材は光ピックアップアクチュエータの対物レンズ保持部材である。
【００６１】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００６２】
【図１】光ピックアップアクチュエータの構造を示す図である。
【図２】端子部の円板部の寸法についての説明図である。
【図３】半田付け仕上げ部を付加した端子部の構造を示す図である。
【図４】光ピックアップアクチュエータに付加した端子部用位置決め構造を示す図である。
【図５】光ピックアップアクチュエータに付加した別の端子部用位置決め構造を示す図である。
【図６】フォーカシングコイル及びトラッキングコイルの製作時の説明図である。
【００６３】
【図７】連絡部分により相互に連結されているフォーカシングコイル及びトラッキングコイルの組付け時の位置関係を示す図である。
【図８】フォーカシングコイル及びトラッキングコイルの製作及び組付け作業を順番に示す図である。
【図９】スピーカに配備されるボイスコイルの組付け状態の斜視図である。
【図１０】トランスの斜視図である。
【図１１】端子板を使ってスプリングワイヤ−コイル間の接続を行う従来の光ピックアップアクチュエータの構造を示す図である。
【図１２】絡げ構造によりスプリングワイヤ−コイル間の接続を行う従来の光ピックアップアクチュエータの構造を示す図である。
【符号の説明】
【００６４】
１０：光ピックアップアクチュエータ、１１：固定部、１２：可動部、１３：対物レンズ、１５：フォーカシングコイル、１６：コイル部、１７：端子部、２０：トラッキングコイル、２１：コイル部、２２：端子部、２５：スプリングワイヤ、３０：端子部、３１：円板部、３２：線材、３５：半田付け仕上げ部、３８：円形凹所（位置決め）、４０：円形凹所（位置決め）、４３：帯状突起（位置決め）、４４：円形突起（位置決め）、４７：線材、４８：連絡部分、５５：ボイスコイル、５６：コイル部、５７：端子部、６０：トランス、６１：コイル部、６２：端子部。
【図１】
2009252336.tif 000003
【図２】
2009252336.tif 000004
【図３】
2009252336.tif 000005
【図４】
2009252336.tif 000006
【図５】
2009252336.tif 000007
【図６】
2009252336.tif 000008
【図７】
2009252336.tif 000009
【図８】
2009252336.tif 000010
【図９】
2009252336.tif 000011
【図１０】
2009252336.tif 000012
【図１１】
2009252336.tif 000013
【図１２】
2009252336.tif 000014